(57)【要約】【課題】薄型テレビの画面の位置や方向を微調整できるようにする薄型ディスプレイ吊り下げ装置を提供する。【解決手段】薄型ディスプレイ吊り下げ装置(10)は床頭台の天井部に取り付けて使用され、取付部(12)と、取付部(12)に設けられている枢軸(132)と、水平部(142)側端に設けられている回動筒体(134)を介し枢軸(132)に取り付けられている回動アーム(14)と、回動アーム(14)の垂直部(144)下端部に設けられているチルト機構部(15)と、チルト機構部(15)に備えられている薄型ディスプレイ取付部(16)を有している。回動アーム(14)は枢軸(132)を中心として水平方向に回動し、チルト機構部(15)は回動アーム(14)の垂直部(144)を中心として水平方向に回動し、薄型ディスプレイ取付部(16)は垂直方向に回動する。【選択図】図１
2010283534.tif 000002
【特許請求の範囲】
【請求項１】
天板の上方に天井部を有する床頭台に取り付けて使用する薄型ディスプレイの吊り下げ装置(10)であって、
前記天井部の下面に取り付ける取付部(12)と、
水平部(142)と垂直部(144)を有し、水平部(142)側は、水平方向に回動する回動部(13)を介して前記取付部(12)に取り付けられている回動アーム(14)と、
該回動アーム(14)の垂直部(144)に、水平方向に回動できるように設けられているチルト機構部(15)と、
該チルト機構部(15)に備えられており、垂直方向に回動する薄型ディスプレイ取付部(16)と、
を有する、
薄型ディスプレイ吊り下げ装置。
【請求項２】
天板の上方に天井部を有する床頭台に取り付けて使用する薄型ディスプレイの吊り下げ装置(10)であって、
前記天井部の下面に取り付ける取付部(12)と、
該取付部(12)から下方に向けて設けられている枢軸(132)と、
水平部(142)と垂直部(144)を有し、水平部(142)側端に設けられている回動筒体(134)を介して前記枢軸(132)に取り付けられている回動アーム(14)と、
該回動アーム(14)の垂直部(144)の下端部に設けられているチルト機構部(15)と、
該チルト機構部(15)に備えられている薄型ディスプレイ取付部(16)を有し、
前記回動アーム(14)は前記枢軸(132)を中心として水平方向に回動し、前記チルト機構部(15)は、回動アーム(14)の垂直部(144)を中心として水平方向に回動し、前記薄型ディスプレイ取付部(16)は、垂直方向に回動するよう構成されている、
薄型ディスプレイ吊り下げ装置。
【請求項３】
回動アーム(14)の水平部(142)の長さは、取り付けられる薄型ディスプレイが床頭台の両側面の表面及び正面の表面からはみ出さないか、大きくはみ出さない程度の長さに設定されている、
請求項１または２記載の薄型ディスプレイ吊り下げ装置。 
【請求項４】
天板の上方に天井部を有する床頭台であって、請求項１、２または３記載の薄型ディスプレイ吊り下げ装置が、前記天井部の下面に取り付けられており、薄型ディスプレイ取付部は、薄型ディスプレイの背面に取り付けられている、
床頭台。
【発明の詳細な説明】
【技術分野】
【０００１】
この発明は、薄型ディスプレイ吊り下げ装置及び床頭台に係り、更に詳しくは、天板を利用しやすくすると共に、薄型テレビジョン（以下、薄型テレビジョンを「薄型テレビ」といい、テレビジョンを「テレビ」という。）の画面の視認方向の微調整ができるようにしたものに関する。
また、従来からある床頭台にも大きな改造なしで使用できるものに関する。
【背景技術】
【０００２】
入院患者を抱えた病院等の病室においては、ベッドサイドに床頭台が設置されている場合が多い。床頭台の天板には、患者が使用するポットや湯飲み等の日常生活品、或いは看護士などが使用する検診具などを置くことができるため、入院生活や検診に当たって便利なようになっている。しかし、床頭台の天板の上にはテレビが設置されることが多く、日常生活品や検診具などが置けなくなってきている。
【０００３】
しかし、近年、テレビは従来のブラウン管型から、液晶テレビなどの薄型テレビに移ってきており、最近では、横長のディスプレイを有するものも多い。
薄型テレビを床頭台に吊り下げ状態に取り付けると、天板の上に物の置くことができ、便利である。このような吊り下げ装置、或いはその装置を使用して薄型テレビを取り付けた床頭台としては、例えば、下記特許文献１に掲げるものがある。
【０００４】
特許文献１記載の吊り下げ装置及び床頭台は、床頭台の基台上に載置された薄型テレビについて、その首振り動作に連動してタイマー装置などの情報機器も回動させようとするものである。そして、薄型テレビを天井板の上に配設する機器保持具に取り付ける実施例（図８参照）では、薄型テレビは正面を向くだけでなく、水平方向に回動できるようになっている。
【先行技術文献】
【特許文献】
【０００５】
【特許文献１】特開２００６−３５２３４６号公報
【発明の概要】
【発明が解決しようとする課題】
【０００６】
前記したように、床頭台は、ベッドサイドに設置されるのが一般的であり、患者はベッドに横たわった状態でテレビを見ることが多く、左右両側の何れのベッドからもテレビを見られるようにする必要がある。その際には、ベッドに横たわった患者が見やすいような微調整ができることが要求される。
【０００７】
また、床頭台が設置されるベッドの近くには、例えば点滴装置なども置かれるため、それとの接触を避けるには、薄型テレビが床頭台の両側面及び正面からはみ出さないか、大きくはみ出さないことも必要である。
【０００８】
更には、薄型テレビの画面の表面は平面で、光を反射して見にくくなる場合があり、これを避けるためには画面の向きの微調整ができるようにする必要もある。
【０００９】
しかし、前記特許文献１記載の吊り下げ装置及び床頭台では、薄型テレビの画面は、水平方向に回動できるようになっているが、回動できる箇所が軸部材部分だけであり、軸部材を中心として円を描く動きだけでは、画面の水平方向の微調整が困難である。
【００１０】
特に、この吊り下げ装置に横長の薄型テレビを吊り下げた場合、薄型テレビの左右いずれかの端部が、基台部の上面２ｆと天井板６との間に有る立ち上がり部と接触し、ベッド側と正対するのを妨げる事態を引き起こすことがある。この場合は、薄型テレビの両端側が床頭台の外面からはみ出、はみ出た部分に点滴装置などが引っかかり、医療事故を引き起こす可能性も排除できない。
【００１１】
更に、前記特許文献１に記載された吊り下げ装置は、床頭台の基台上に載置された薄型テレビについて、その首振り動作に連動してタイマー装置などの情報機器も回動させようとするものであるから機構的に複雑で、既に使用されている構造の床頭台に簡単に取り付けて使用するということはできない。
【００１２】
（発明の目的）
そこで、本発明の目的は、薄型テレビの画面の位置や方向を微調整できるようにする薄型ディスプレイ吊り下げ装置及び床頭台を提供することにある。
また、本発明の他の目的は、従来からある床頭台にも大きな改造なしで使用できるようにする薄型ディスプレイ吊り下げ装置及び床頭台を提供することにある。      
【課題を解決するための手段】
【００１３】
上記課題を解決するために本発明が講じた手段は次のとおりである。
【００１４】
本発明は、
天板の上方に天井部を有する床頭台に取り付けて使用する薄型ディスプレイの吊り下げ装置であって、
前記天井部の下面に取り付ける取付部と、
水平部と垂直部を有し、水平部側は、水平方向に回動する回動部を介して前記取付部に取り付けられている回動アームと、
該回動アームの垂直部に、水平方向に回動できるように設けられているチルト機構部と、
該チルト機構部に備えられており、垂直方向に回動する薄型ディスプレイ取付部と、
を有する、
薄型ディスプレイ吊り下げ装置である。
【００１５】
本発明は、
天板の上方に天井部を有する床頭台に取り付けて使用する薄型ディスプレイの吊り下げ装置であって、
前記天井部の下面に取り付ける取付部と、
該取付部から下方に向けて設けられている枢軸と、
水平部と垂直部を有し、水平部側端に設けられている回動筒体を介して前記枢軸に取り付けられている回動アームと、
該回動アームの垂直部の下端部に設けられているチルト機構部と、
該チルト機構部に備えられている薄型ディスプレイ取付部を有し、
前記回動アームは前記枢軸を中心として水平方向に回動し、前記チルト機構部は回動アームの垂直部を中心として水平方向に回動し、前記薄型ディスプレイ取付部は垂直方向に回動するよう構成されている、
薄型ディスプレイ吊り下げ装置である。
【００１６】
本発明では、回動アームの水平部の長さは、取り付けられる薄型ディスプレイが床頭台の両側面の表面及び正面の表面からはみ出さないか、大きくはみ出さない程度の長さに設定されているのが、好ましい。
【００１７】
本発明は、天板の上方に天井部を有する床頭台であって、前記薄型ディスプレイ吊り下げ装置の天井部取付部は、天井部の下面に取り付けられており、薄型ディスプレイの背面には薄型ディスプレイ取付部が取り付けられている、
床頭台である。
【００１８】
（作用）
本発明の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１９】
床頭台２０は、天板２２の上方に天井部２５を有し、天井部２５の下面には薄型ディスプレイ吊り下げ装置１０の取付部１６が取り付けてある。一方、薄型ディスプレイ取付部１６は、薄型ディスプレイ３０の背面に取り付けてある。
【００２０】
このような床頭台２０をベッドの近くに設置し、薄型ディスプレイ３０をベッド側に向ける位置の調整方法の一例を下記に示す。
まず、回動アーム１４を動かして大まかな設置位置に薄型ディスプレイ３０を水平移動する。次いで、チルト機構部１５を水平に回動して薄型ディスプレイ３０の水平方向の調整を行う。次いで、薄型ディスプレイ３０の垂直方向（起伏方向）の調整を行って薄型ディスプレイ３０の位置の調整が完了する。
なお、薄型ディスプレイの設置は、上記方法に限定されるものではない。
【発明の効果】
【００２１】
本発明によれば、水平方向の大きな移動は回動アームで行い、小さな移動はチルト機構部を回動して行い、垂直方向の移動はチルト機構部で行うことができるので、吊り下げられる薄型ディスプレイの表示面の細かな位置の調整が可能である。
【００２２】
また、床頭台の表面から薄型ディスプレイの一部分がはみ出る場合でも、はみ出た部分の位置の微調整が可能であり、回動アーム、チルト機構部を適宜回動して調整することによって狭いベッド間に設置した床頭台に吊り下げられた薄型ディスプレイに点滴装置などが引っかるのを防止して医療事故を引き起こす可能性を少なくすることが可能となる。
【００２３】
また、床頭台への取付は、天板の上方の天井部の下面に薄型ディスプレイ吊り下げ装置の取付部を取り付ければよいから、従来からある床頭台にも改造なしで、又は大きな改造なしで使用できる。
【図面の簡単な説明】
【００２４】
【図１】本発明に係る薄型ディスプレイ吊り下げ装置の一実施の形態を示しており、薄型ディスプレイを取り付けた状態の側面視説明図である。
【図２】図１に示す薄型ディスプレイ吊り下げ装置を斜め後方から見た斜視説明図である。
【図３】図１に示す薄型ディスプレイ吊り下げ装置を床頭台に取り付けた状態を示す斜視説明図である。
【図４】図１に示す薄型ディスプレイ吊り下げ装置を床頭台に取り付けた状態を示す側面視説明図である。
【図５】図１に示す薄型ディスプレイ吊り下げ装置を表した説明図で、（ａ）は正面図、（ｂ）は背面図、（ｃ）は平面図、（ｄ）は底面図、（ｅ）は右側面図（ｆ）は斜視図である。
【図６】図５（ａ）におけるＡ−Ａ断面図である。
【図７】本発明に係る薄型ディスプレイ吊り下げ装置の他の実施の形態を示しており、（ａ）は薄型ディスプレイを取り付けた状態の側面視説明図、（ｂ）は正面視説明図である。
【発明を実施するための形態】
【００２５】
図面を参照して説明する。なお、各図において、符号は煩雑さを軽減し理解を容易にする範囲で付している。
薄型ディスプレイ吊り下げ装置１０は、図３及び図４に示すように、天板２２の上方に天井部２５を有する床頭台２０に取り付けられ、下端側に薄型ディスプレイである薄型テレビ３０を取り付けて使用される。
【００２６】
詳しくは、吊り下げ装置１０は、床頭台２０の天井部２５の下面２５ａに取り付ける取付部１２を備える。取付部１２は、板状体１２０を折り曲げて形成される。取付部１２の中央部分には、断面「コ」状の溝部１２２が設けられており、溝部１２２を除く他の部分が床頭台２０の天井部２５の下面２５ａに密接して取り付けられる。
【００２７】
溝部１２２には、板状体１２０を貫通して下方に向けて枢軸１３２が設けられている。本実施の形態では枢軸１３２にボルトを使用している。
枢軸１３２を取り囲むようにして、回動部１３を構成する回動筒体１３４が配置されている。回動筒体１３４には、回動アーム１４の水平部１４２が固着されている。
【００２８】
回動アーム１４は、前記水平部１４２と垂直部１４４を有する。水平部１４２端は、垂直方向に配設する前記回動筒体１３４の周面に固着されている。回動アーム１４は本実施の形態では管体、具体的には金属管をＬ形状に曲げて形成されている。
【００２９】
回動筒体１３４は上端に封鎖板１３６を有し、封鎖板１３６を貫通して中空内部に枢軸１３２が位置している。枢軸１３２には、回動筒体１３４が回動し、且つ取り外れないように二重にナット１３５が螺着されている。回動筒体１３４と溝部１２２下面の間には、合成樹脂製のワッシャー１３７を挟着して回動筒体１３４が円滑に回動をするようにしている。回動筒体１３４の下部開口は、合成樹脂製の封鎖体１３８を圧入して封鎖されている。
【００３０】
回動アーム１４の垂直部１４４の下端部には、チルト機構部１５が設けられている。チルト機構部１５は、水平方向に回動する水平回動体１５０と、垂直方向に回動して薄型テレビ３０の画面方向を垂直方向に回動する垂直回動体１５２を備えている。
水平回動体１５０は、箱状に形成されており、上面板１５０ａ及び三面の側面板１５０ｂ、１５０ｃ、１５０ｄを有し、垂直回動体１５２側と下方側は開放されている。
【００３１】
垂直部１４４内に固着されている枢軸１５５は、水平回動体１５０の上面板１５０ａを貫通し、回動し、且つ取り外れないように二重にナット１５１が螺着されている。回動アーム１４の垂直部１４４の下端と上面板１５０ａの間には、合成樹脂製のワッシャー（図示省略）が挟着されており、水平回動体１５０が円滑に回動するようにしている。
【００３２】
水平回動体１５０の対向する両側面板１５０ｂ、１５０ｄの上部分には、垂直回動体１５２が垂直方向に回動できるように軸１５６によって取着されている。軸にはビスが使用され、ナットで締着されている。両側面板１５０ｂ、１５０ｄの下部分には、薄型テレビ３０の画面の縦方向の向きを調整する調整溝１５７ｂ、１５７ｄが弓形状に湾曲して形成されている。
【００３３】
調整溝１５７ｂ、１５７ｄには、それぞれ回転ハンドルを有する締め付けネジ１５８ｂ、１５８ｄが貫通しており、後述する垂直回動体１５２の対応箇所に螺着されている。
【００３４】
垂直回動体１５２は、取着板１５２ａ及び対向する側面板１５２ｂ、１５２ｃを有し、断面コ形状に形成されて水平回動体１５０側と上方及び下方側は開放されている。垂直回動体１５２の対向する側面板１５２ｂ、１５２ｃは、水平回動体１５０の対向する両側面板１５０ｂ、１５０ｄの間に嵌入されており、締め付けネジ１５８ｂ、１５８ｄとの対応箇所には、ねじ穴が設けられ、締め付けネジ１５８ｂ、１５８ｄと螺合されている。
【００３５】
取着板１５２ａの外面には、薄型テレビ３０の背面に取り付ける板状の薄型ディスプレイ取付部１６が溶接によって取着されている。薄型ディスプレイ取付部１６の両側には取付孔１６０を多数設けて、異なる形式の薄型テレビ３０にも対応できるようにしている。
【００３６】
このような構造の薄型ディスプレイ吊り下げ装置１０は、図３、４に示すような天井部２５有する床頭台２０に取り付けて使用される。
床頭台２０は、天板２２と天板２２の両側に配置されている側板２１を有する。側板２１は、それぞれ前方側が大きく切欠されて、残部のうち上部に腕部２４が、奥側に支柱部２３が形成されている。腕部２４間には天井部２５が配設されている。
【００３７】
〔作用〕
床頭台２０への取付は、取付部１２を床頭台２０の天井部２５の下面にビスなどの固着具を使用して固着し、薄型ディスプレイ取付部１６を薄型テレビ３０の背面にビスなどの固着具で固着する。
【００３８】
薄型テレビ３０を動かすときには、まず回動アーム１４を回動して、薄型テレビ３０の大まかな水平方向の位置を決める。次にチルト機構部１５の水平回動体１５０を回動して、水平方向の位置の微調整を行う。水平方向の位置が決まったら、垂直回動体１５２を垂直方向に回動かして薄型テレビ３０の画面の傾きを調整する。
このようにして、薄型テレビ３０の画面の向きを調整することができるが、画面の調整方法は上記方法に限られず、使用者が調整しやすい方法を採用できる。
【００３９】
回動アーム１４を回動して横長型の薄型テレビ３０をベッド側に向けるときには、支柱部２３が邪魔になり、薄型テレビ３０が床頭台２０の外面からはみ出る場合が生じ、はみ出た部分に点滴装置のチューブが引っかかる等の事故を生じることも考えられる。
その場合は、回動アーム１４とチルト機構部１５の水平回動体１５０を水平方向に適宜調整することによって、引っかからないように収納できる。
【００４０】
図７は、薄型ディスプレイ吊り下げ装置１０の他の実施の形態を示している。
この実施の形態では、床頭台２０の天井部２５の下面に取り付ける取付部１２の上に、カード式タイマー装置Ｃを収容する収容部４２を有する第２の取付部４０を取付部１２に取着したものである。
【００４１】
既存のブラウン管型のテレビを設置している床頭台の場合は、そのテレビの横にカード式タイマー装置を設置していることが多い。前記テレビは、床頭台の天板の上に置いて使用するので、天板は物を置く場所として使用できず、従ってカード式タイマー装置を天板に設置していても、差し支えない。
しかし、本発明に係る薄型ディスプレイ吊り下げ装置１０を使用すると天板の全面を使用することができることとなるので、カード式タイマー装置を天板の上に設置しておくと、天板の全面を使用できなくなる。
そこで、床頭台の天井部の下側にカード式タイマー装置Ｃを収容する収容部４２を設けた第２の取付部４０を設けることによって、既設の床頭台にも使用できるようにしている。
【００４２】
なお、前記実施の形態とは、第２の取付部４０の有無において相違し、その他においては同一の構造であるために、同一または同等箇所には同一符号を付しており、構造及び作用の説明は省略する。
【００４３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００４４】
１０  薄型ディスプレイ吊り下げ装置
１２  取付部
１２０  板状体
１２２  溝部
１３  回動部
１３２  枢軸
１３４  回動筒体
１３５  ナット
１３６  封鎖板
１３７  ワッシャー
１３８  封鎖体
１４  回動アーム
１４２  水平部
１４４  垂直部
１５  チルト機構部
１５０  水平回動体
１５０ａ  上面板
１５０ｂ  側面板
１５２  垂直回動体
１５２ａ  取着板
１５２ｂ、１５２ｃ  側面板
１５５  枢軸
１５６  軸
１５７ｂ、１５７ｄ  調整溝
１５８ｂ、１５８ｄ  締め付けネジ
１６  薄型ディスプレイ取付部
１６０  取付孔
２０  床頭台
２１  側板
２２  天板
２３  支柱部
２４  腕部
２５  天井部
３０  薄型テレビ
４０  第２の取付部
４２  収容部
Ｃ  カード式タイマー装置
【図１】
2010283534.tif 000003
【図２】
2010283534.tif 000004
【図３】
2010283534.tif 000005
【図４】
2010283534.tif 000006
【図５】
2010283534.tif 000007
【図６】
2010283534.tif 000008
【図７】
2010283534.tif 000009